(57)【要約】【課題】ハウジングの熱変形に起因する光ビームの位置ずれを抑止すると共に、組立作業性を向上する。【解決手段】光ビームを射出して走査すると共に外部のフレームＦ１，Ｆ２に対して固定される光走査装置の固定機構３００であって、フレームＦ１，Ｆ２に形成される貫通孔１０３〜１０５と、ハウジング２００の両端に設置されると共にフレームＦ１，Ｆ２に形成された貫通孔１０３〜１０５に対して挿通可能な突出ピン１００〜１０２と、ハウジング２００を一方向に付勢する付勢手段１０６とを備える。【選択図】図２
2011209557.tif 000002
【特許請求の範囲】
【請求項１】
光ビームを射出して走査すると共に外部のフレームに対して固定される光走査装置の固定機構であって、
前記フレームに形成される貫通孔と、
前記ハウジングの両端に設置されると共に少なくともいずれかが前記フレームに形成された貫通孔に対して挿通可能な突出ピンと、
前記ハウジングを一方向に付勢する付勢手段と
を備えることを特徴とする光走査装置の固定機構。
【請求項２】
前記突出ピンの径は、前記貫通孔に対して前記突出ピンが斜め方向から挿入可能に設定されていることを特徴とする請求項１記載の光走査装置の固定機構。
【請求項３】
前記付勢手段は、前記フレームと前記ハウジングとの間に介在されるバネ部材であることを特徴とする請求項１または２記載の光走査装置の固定機構。
【請求項４】
前記付勢手段は、
前記突出ピンの先端に嵌合する位置決めピンと、
前記位置決めピンが設置される板部材と、
前記板部材を引っ張るバネ部材と
を備えることを特徴とする請求項１または２記載の光走査装置の固定機構。
【請求項５】
前記付勢手段は、
フレームに対して固定される板部材と、
前記板部材を抜けて前記ハウジングと固定されるヘッダーピンと、
前記ヘッダーピンのヘッドと前記板部材との間に介在されて前記ヘッダーピンを前記板部材から離間する方向に付勢する弾性部材と
を備えることを特徴とする請求項１または２記載の光走査装置の固定機構。
【請求項６】
前記板部材は、前記突出ピンが嵌合可能な嵌合孔を備えることを特徴とする請求項５記載の光走査装置の固定機構。
【請求項７】
光ビームを射出すると共に走査する光走査装置と、前記光ビームが照射されることにより静電潜像が形成される感光体と、前記静電潜像を現像することでトナー像を形成する現像装置とを備える画像形成装置であって、
前記光走査装置が、請求項１〜６いずれかに記載の光走査装置の固定機構によって固定されていることを特徴とする画像形成装置。
【発明の詳細な説明】
【技術分野】
【０００１】
本発明は光走査装置の固定機構及び画像形成装置に関する。
【背景技術】
【０００２】
従来から、複写機や複合機等の画像形成装置に組み込まれている画像形成ユニットの主要な構成要素である光走査装置は、内部で光ビームが導光されるハウジングを備えており、このハウジングが画像形成装置の筐体内部に設置されたフレームに固定されることによって支持されている。
例えば、特許文献１では、ハウジングは、フレームにネジ部を備えた基準ピンを用いてネジ止めで固定されている。
【先行技術文献】
【特許文献】
【０００３】
【特許文献１】特開平２−２２００７２号公報
【発明の概要】
【発明が解決しようとする課題】
【０００４】
しかしながら、ハウジングには、内部には光ビームを走査するためのポリゴンモータ等の発熱部品が収容されている。このため、発熱部品の発熱によってハウジングが変形を受けることを避けることができないが、ハウジングがフレームにネジ止め等で固定されていて熱変形を逃すことができないと、局所的に大きな熱変形が生じてしまう。ハウジングにこのような熱変形が生じると、走査線の位置ずれが発生し、印刷品質の低下を来たす虞がある。
また、従来のハウジングは、上述のように、光走査装置のハウジングがフレームにネジ止めで固定されているため、組立作業の効率が悪く、さらに、専門知識を有する作業員でないと光走査装置の交換ができないという欠点があった。
【０００５】
本発明は、上述する問題点に鑑みてなされたもので、ハウジングの熱変形に起因する光ビームの位置ずれを抑止すると共に、組立作業が容易で、ユーザ自身でも光走査装置の交換を可能することを目的とする。
【課題を解決するための手段】
【０００６】
本発明は、上記課題を解決するための手段として、以下の構成を採用する。
【０００７】
第１の発明は、光ビームを射出して走査すると共に外部のフレームに対して固定される光走査装置の固定機構であって、上記フレームに形成される貫通孔と、上記ハウジングの両端に設置されると共に少なくともいずれかが上記フレームに形成された貫通孔に対して挿通可能な突出ピンと、上記ハウジングを一方向に付勢する付勢手段とを備えるという構成を採用する。
【０００８】
第２の発明は、上記第１の発明において、上記突出ピンの径が、上記貫通孔に対して上記突出ピンが斜め方向から挿入可能に設定されているという構成を採用する。
【０００９】
第３の発明は、上記第１または第２の発明において、上記付勢手段が、上記フレームと上記ハウジングとの間に介在されるバネ部材であるという構成を採用する。
【００１０】
第４の発明は、上記第１または第２の発明において、上記付勢手段が、上記突出ピンの先端に嵌合する位置決めピンと、上記位置決めピンが設置される板部材と、上記板部材を引っ張るバネ部材とを備えるという構成を採用する。
【００１１】
第５の発明は、上記第１または第２の発明において、前記付勢手段が、フレームに対して固定される板部材と、前記板部材を抜けて前記ハウジングと固定されるヘッダーピンと、前記ヘッダーピンのヘッドと前記板部材との間に介在されて前記ヘッダーピンを前記板部材から離間する方向に付勢する弾性部材とを備えるという構成を採用する。
【００１２】
第６の発明は、上記第５の発明において、前記板部材が、前記突出ピンが嵌合可能な嵌合孔を備えるという構成を採用する。
【００１３】
第７の発明は、光ビームを射出すると共に走査する光走査装置と、上記光ビームが照射されることにより静電潜像が形成される感光体と、上記静電潜像を現像することでトナー像を形成する現像装置とを備える画像形成装置であって、上記光走査装置が、上記第１〜第６いずれかの発明である光走査装置の固定機構によって固定されているという構成を採用する。
【発明の効果】
【００１４】
本発明によれば、突出ピンを貫通孔に対して挿通し、この状態で付勢手段によってハウジングを一方向に付勢することによって、ハウジングの位置決め及び支持を行う。つまり、本発明においては、ハウジングをフレームに対して強固に固定しておらず、ハウジングに付勢手段から受ける付勢力を上回る力が作用した場合には、ハウジングの変形あるいは変位が許容される。
したがって、本発明によれば、ハウジングに局所的な熱変形が生じないので、走査線の位置ずれの発生がなくなり、印刷品質の低下を防止することができる。
【００１５】
加えて、本発明によれば、付勢手段によってハウジングが一方向に付勢されることで、ハウジングの位置決め及び支持が行われるため、組立て時にハウジングを大よその位置に配置すれば、その後は付勢手段の付勢力によってハウジングを正確な位置に位置決めすることができる。また、ハウジングがフレームに対して強固に固定されていないため、その脱着も容易である。
したがって、本発明によれば、光走査装置の組立作業性を向上し、専門知識を有する作業員でなくとも、ユーザ自身で光走査装置の交換を行うことが可能となる。
【図面の簡単な説明】
【００１６】
【図１】本発明の第１実施形態における複写機の概略構成を示す断面図である。
【図２】本発明の第１実施形態における複写機が備えるレーザスキャニングユニットの下面図である。
【図３】図２のＸ−Ｘ線拡大断面図である。
【図４】本発明の第２実施形態における複写機が備えるレーザスキャニングユニットの下面図である。
【図５】本発明の第３実施形態における複写機が備えるレーザスキャニングユニットの側面を含む斜視図である。
【図６】本発明の第３実施形態における複写機が備えるレーザスキャニングユニットとフレームとを含む斜視図である。
【発明を実施するための形態】
【００１７】
（第１実施形態）
以下、図面を参照して、本発明に係る光走査装置の固定機構及び画像形成装置の一実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１８】
図１は、本実施形態の複写機Ｐの概略構成を示す断面図である。この図に示すように、本実施形態の複写機Ｐは、原稿の画像を読み取る画像読取部１と、読み取った画像データに基づいて記録紙（記録媒体）に印刷を行う印刷部２とを備えている。
【００１９】
画像読取部１は、原稿の画像に光を照射し、その反射光を受光することによって原稿の画像を画像データとして読み取るものであり、原稿に光を照射する光源装置や原稿からの戻り光を受光して画像データに変換する受光センサ等を備えている。
【００２０】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００２１】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２２】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２３】
各画像形成ユニット７は、感光体７１と、帯電器７２と、レーザスキャニングユニット（光走査装置）７３と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２４】
給紙カセット８は、装置本体に対して引き出し自在であり、記憶紙を収容するものである。給紙トレイ９は、装置本体に対して開閉自在であり、記憶紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備える。
【００２５】
このような構成を有する本実施形態の複写機Ｐは、上述のように、画像読取部１において画像データを取得し、さらに印刷部２が当該画像データに基づいて記録紙に印刷を行う。
【００２６】
次に、本実施形態の複写機Ｐにおけるレーザスキャニングユニット（ＬＳＵ）７３について、図２を用いて説明する。この図２は、レーザスキャニングユニットの概略構成を示す斜視図であって、上カバーを外した状態にある。
なお、各レーザスキャニングユニット７３は、同一構成であるため、以下の説明においては、１つのレーザスキャニングユニット７３のみについて説明する。
【００２７】
レーザスキャニングユニット７３は、ハウジング２００を備えている。このハウジング２００は合成樹脂製で、内部に所定容積の空間を備えた中空体に成形されている。また、ハウジングの内部には、光ビーム発生器、ポリゴンミラーと、ポリゴンモータと、光学素子等が設置されている。そして、レーザスキャニングユニット７３は、光ビーム発生器から射出された光ビームをハウジング内部で導光して射出しつつ当該光ビームを感光体７１上で走査する。
なお、レーザスキャニングユニット７３から射出された光ビームが感光体７１に照射されることによって、感光体７１に静電潜像が形成される。
【００２８】
以下、図２を用いて、レーザスキャニングユニット７３の固定機構３００について説明する。図２は、図１のレーザスキャニングユニット７３を感光体７１側から見たときの下面図に当り、図１における紙面の前後にそれぞれ位置して設けられている一対のフレームＦ１，Ｆ２（図１では不図示）間に取り付けられた状態を示している。これら一対のフレームＦ１，Ｆ２は、複写機Ｐの筐体の内部に所定の間隔を保って平行に設けられている
【００２９】
レーザスキャニングユニット７３のハウジング２００のフレームＦ１，Ｆ２への取り付けは、３本の突出ピン１００〜１０２と、３個の貫通孔１０３〜１０５と、バネ部材１０６とを用いて行なわれる。
つまり、本実施形態におけるレーザスキャニングユニット７３の固定機構３００は、突出ピン１００〜１０２と、貫通孔１０３〜１０５と、バネ部材１０６とを有して構成されている。
【００３０】
３本の突出ピン１００〜１０２のうち、２本の突出ピン１００，１０１は、ハウジング２００の両側面の一方の側面（図２においては右側面）に所定の間隔を保って設けられ、残りの１本の突出ピン１０２は、ハウジング２００の他方の側面で、２本の突出ピン１００，１０１のうちの一本の突出ピン（図示の例では突出ピン１００）と同軸となるように設けられている。
これら３本の突出ピン１００〜１０２の長さは、全ての突出ピン１００〜１０２を貫通孔１０３〜１０５に挿入可能な長さに設定されている。さらに、突出ピン１０２の長さは、突出ピン１００，１０１が貫通孔１０３，１０４に対して最も奥まで挿入された場合に貫通孔１０５から抜け出る長さに設定されている。また、突出ピン１００，１０１の径は、貫通孔１０３，１０４に対して突出ピン１００，１０１を斜め方向から挿入可能なように、貫通孔１０３，１０４よりも小さく設定されている。
【００３１】
なお、貫通孔１０３，１０４を上下方向に長い楕円形状とし、これによって突出ピン１００，１０１を斜め方向から挿入可能なように構成しても良い。
また、ここでは、突出ピン１０２は、突出ピン１００と同軸となるように設けられているが、突出ピン１０２は、突出ピン１０１と同軸となるように設けてもよい。また、２本の突出ピン１００，１０１の突出ピンに対応して２本の突出ピンを設けるようにしてもよい。
【００３２】
３個の貫通孔１０３〜１０５のうち、２個の貫通孔１０３，１０４は、突出ピン１００，１０１に対応した位置でフレームＦ１に設けられ、残りの貫通孔１０５は、突出ピン１０２に対応した位置でフレームＦ２に設けられている。貫通孔１０３，１０４と突出ピン１００，１０１及び貫通孔１０５と突出ピン１０２の関係は、各突出ピンが各貫通孔に容易に挿入でき、その挿入された突出ピンががたつかないように決められている。
【００３３】
バネ部材１０６は、本発明の付勢手段に相当し、図３に示されるように、Ｕ字状の板バネからなり、ハウジング２００の一方の側面（図２においては右側面）とフレームＦ１との間で、かつ両突出ピン１００，１０１間に設けられている。このバネ部材１０６のハウジング２００側はそのハウジング２００に固定され、その反対側の上端部は、逆Ｕ字状に形成され、その逆Ｕ字状部がフレームＦ１の上端部に挿入できるように構成されている。
このバネ部材１０６は、図２に示すようにハウジング２００とフレームＦ１との間に介在される場合には、ハウジング２００をフレームＦ２の方向（一方向）に向けて付勢するように圧縮されている。
そして、このバネ部材１０６の付勢力によってハウジング２００がフレームＦ２に対して押し当てられ、これによってレーザスキャニングユニット７３の位置決めがなされる。
【００３４】
レーザスキャニングユニット７３を取り付ける際には、まず突出ピン１００，１０１を斜め上方からフレームＦ１に形成された貫通孔１０３，１０４に挿入する。この際、ハウジング２００を強く押し込むことによって、バネ部材１０６を大きく圧縮し、根元まで突出ピン１００，１０１を貫通孔１０３，１０４に挿入する。続いて、レーザスキャニングユニット７３を寝かせて突出ピン１０２をフレームＦ２の貫通孔１０５に対向させる。その後、ハウジング２００を押している力を解放して、バネ部材１０６の復元力によって突出ピン１０２を貫通孔１０５に挿入する。これによって、レーザスキャニングユニット７３が、図２に示すように、位置決めされると共に支持されることとなる。
このように、本実施形態のレーザスキャニングユニット７３は、斜め上方から一旦貫通孔１０３，１０４の奥まで突出ピン１００，１０１を挿入し、その後ハウジング２００を寝かせて貫通孔１０３，１０４から突出ピン１００，１０１が抜ける方向に移動させるスイッチバックの動作によってフレームＦ１，Ｆ２に対して固定される。
【００３５】
一方、レーザスキャニングユニット７３を取り外す際には、バネ部材１０６をさらに圧縮させるようにして突出ピン１０２を貫通孔１０５から抜き出す。その後、ハウジング２００を手前に傾けた後、突出ピン１００，１０１を貫通孔１０３，１０４から抜き出すことによってレーザスキャニングユニット７３が取り外される。
【００３６】
以上のような本実施形態におけるレーザスキャニングユニット７３の固定機構３００によれば、突出ピン１００〜１０２を貫通孔１０３〜１０５に対して挿通し、この状態でバネ部材１０６によってハウジング２００を一方向に付勢することによって、ハウジング２００の位置決め及び支持を行う。つまり、本実施形態におけるレーザスキャニングユニット７３の固定機構３００においては、ハウジング２００をフレームＦ１，Ｆ２に対して強固に固定しておらず、ハウジング２００にバネ部材１０６から受ける付勢力を上回る力が作用した場合には、ハウジング２００の変形あるいは変位が許容される。
したがって、本実施形態におけるレーザスキャニングユニット７３の固定機構３００によれば、ハウジング２００に局所的な熱変形が生じないので、走査線の位置ずれの発生がなくなり、印刷品質の低下を防止することができる。
【００３７】
加えて、本実施形態におけるレーザスキャニングユニット７３の固定機構３００によれば、バネ部材１０６によってハウジング２００が一方向に付勢されることで、ハウジング２００の位置決め及び支持が行われるため、組立て時にハウジング２００を大よその位置に配置すれば、その後はバネ部材１０６の付勢力によってハウジング２００を正確な位置に位置決めすることができる。また、ハウジング２００がフレームＦ１，Ｆ２に対して強固に固定されていないため、その脱着も容易である。
したがって、本実施形態におけるレーザスキャニングユニット７３の固定機構３００によれば、レーザスキャニングユニット７３の組立作業性を向上し、専門知識を有する作業員でなくとも、ユーザ自身でレーザスキャニングユニット７３の交換を行うことが可能となる。
【００３８】
（第２実施形態）
次に、図４を用いて本発明の第２実施形態について説明する。なお、本第２実施形態の説明において、上記第１実施形態と同一の構成要素については同一符合が付されている。これら同一符号の構成要素についての説明は重複するので省略する。
【００３９】
この第２実施形態のレーザスキャニングユニット７３の固定機構４００は、上記第１実施形態における突出ピン１００，１０１，１０２ａに相当する突出ピン１００ａ，１０１ａ，１０２ａと、貫通孔１０３，１０４、１０５に相当する貫通孔１０３ａ，１０４ａ，１０５ａと、付勢機構５００（付勢手段）とを備えている。
【００４０】
突出ピン１００ａ，１０１ａには、軸心方向に挿入穴１００ｂ，１０１ｂがそれぞれ設けられている。そして、本実施形態において突出ピン１００ａ，１０１ａの長さは、突出ピン１０２ａが最も深くまで貫通孔１０５ａに挿入された状態で、先端が貫通孔１０３ａ，１０４ａに到達しない長さに設定されている。
また、突出ピン１０２ａの径は、斜め上方から突出ピン１０２ａが貫通孔１０５ａに挿入可能となるように、貫通孔１０５ａの径よりも小さく設定されている。なお、貫通孔１０５ａを上下方向に長い楕円形状とし、これによって突出ピン１０２ａを斜め方向から挿入可能なように構成しても良い。
【００４１】
付勢機構５００は、ハウジング２００をフレームＦ２に向かう方向（一方向）に付勢するものであり、バネ部材１０６ａと、板部材１０７と、位置決めピン１０８，１０９とを備えている。
【００４２】
バネ部材１０６ａは、引張バネであり、一端側がフレームＦ１に固定され、他端側が板部材１０７の一方の面に固定されている。
【００４３】
板部材１０７は、長手方向の長さが両突出ピン１００ａ，１０１ａ間の距離より少し長くなるように決められている。そして、この板部材１０７は、バネ部材１０６ａにより、常時、フレームＦ１に引き込まれるように付勢されている。
【００４４】
位置決めピン１０８，１０９は、それぞれ板部材１０７に設けられており、突出ピン１００ａ，１０１ａにそれぞれ対向した位置で突出ピン１００ａ，１０１ａ向きに突出して配置されている。
これら位置決めピン１０８，１０９の先端には、突出ピン１００ａ，１０１ａに設けられている挿入穴１００ｂ，１０１ｂに挿入できる突起部１０８ａ，１０９ａがそれぞれ設けられている。
また、これら位置決めピン１０８，１０９は、上記第１実施形態における貫通孔１０３，１０４と同じ位置に開けられた貫通孔１０３ａ，１０４ａに挿入できるように構成されている（図４参照）。
【００４５】
レーザスキャニングユニット７３を取り付ける際には、まず突出ピン１０２ａを斜め上方からフレームＦ２に形成された貫通孔１０５ａに挿入する。続いて、板部材１０７を引っ張った状態でレーザスキャニングユニット７３を寝かせて突出ピン１００ａ，１０１ａに設けられている挿入穴１００ｂ，１０１ｂを、位置決めピン１０８，１０９の突起部１０８ａ，１０９ａに対向させる。次に、板部材１０７を戻して突起部１０８ａ，１０９ａを挿入穴１００ｂ，１０１ｂに挿入すると共に、位置決めピン１０８，１０９を貫通孔１０３ａ，１０４ａに挿入する。
これによって、レーザスキャニングユニット７３が、図４に示すように、位置決めされると共に支持され、フレームＦ１，Ｆ２に対して固定される。
【００４６】
一方、レーザスキャニングユニット７３を取り外す際には、板部材１０７を引っ張ることによって突起部１０８ａ，１０９ａを挿入穴１００ｂ，１０１ｂから抜き出し、レーザスキャニングユニット７３を手前に傾けた後、突出ピン１０２ａを貫通孔１０５ａから抜き出すことによってレーザスキャニングユニット７３が取り外される。
【００４７】
以上のような本実施形態におけるレーザスキャニングユニット７３の固定機構４００によれば、突出ピン１００ａ〜１０２ａを貫通孔１０３ａ〜１０５ａに対して挿通し、この状態で付勢機構５００によってハウジング２００を一方向に付勢することによって、ハウジング２００の位置決め及び支持を行う。つまり、本実施形態におけるレーザスキャニングユニット７３の固定機構４００においては、ハウジング２００をフレームＦ１，Ｆ２に対して強固に固定しておらず、ハウジング２００に付勢機構５００から受ける付勢力を上回る力が作用した場合には、ハウジング２００の変形あるいは変位が許容される。
したがって、本実施形態におけるレーザスキャニングユニット７３の固定機構４００によれば、ハウジング２００に局所的な熱変形が生じないので、走査線の位置ずれの発生がなくなり、印刷品質の低下を防止することができる。
【００４８】
加えて、本実施形態におけるレーザスキャニングユニット７３の固定機構４００によれば、付勢機構５００によってハウジング２００が一方向に付勢されることで、ハウジング２００の位置決め及び支持が行われるため、組立て時にハウジング２００を大よその位置に配置すれば、その後は付勢機構５００の付勢力によってハウジング２００を正確な位置に位置決めすることができる。また、ハウジング２００がフレームＦ１，Ｆ２に対して強固に固定されていないため、その脱着も容易である。
したがって、本実施形態におけるレーザスキャニングユニット７３の固定機構４００によれば、レーザスキャニングユニット７３の組立作業性を向上し、専門知識を有する作業員でなくとも、ユーザ自身でレーザスキャニングユニット７３の交換を行うことが可能となる。
【００４９】
（第３実施形態）
次に、図５及び図６を用いて本発明の第３実施形態について説明する。なお、本第３実施形態において、上記第１実施形態と同一の構成要素については同一符号がふされている。これら同一符号の構成要素についての説明は重複するので省略する。
【００５０】
第３実施形態のレーザスキャニングユニット７３の固定機構６００において、フレームＦ２側の構成は、上記第１実施形態と同様であるため、ここでの説明は省略する。
そして、本実施形態のレーザスキャニングユニット７３の固定機構６００は、フレームＦ２側の構成（突出ピン１０２及び貫通孔１０５）に加えて、図５に示すように、付勢機構７００（付勢手段）を備えている。なお、図５は、フレームＦ１を省略して図示している。
【００５１】
付勢機構７００は、レーザスキャニングユニット７３のハウジング２００をフレームＦ１側に引き込んで付勢するものであり、板部材７０１と、ヘッダーピン７０２と、バネ部材７０３と、ビス７０４とを備えている。
【００５２】
板部材７０１は、図６に示すように、フレームＦ１に設けられた開口から露出するようにして、フレームＦ１の外側（レーザスキャニングユニット７３が配置される側と反対側）に固定されるものである。
この板部材７０１は、図５に示すように、レーザスキャニングユニット７３の突出ピン１００が嵌合する嵌合孔７０１ａと、突出ピン１０１が嵌合する嵌合孔７０１ｂとを有している。これらの嵌合孔７０１ａ，７０１ｂの内壁面には、複数（本実施形態においては３つ）の突設部７０１ｃが設けられており、これらの突設部７０１ｃに対して突出ピン１００，１０１の周面が当たることによって、突出ピン１００，１０１の位置決めがなされる。
さらに、板部材７０１には、ヘッダーピン７０２をフレームＦの外側から内側に抜くための挿通孔２００ａが略中央に設けられている。なお、挿通孔２００ａの径は、ヘッダーピン７０２のヘッドよりは小さく設定されている。
【００５３】
また、本実施形態においては、レーザスキャニングユニット７３のハウジング２００に対してもヘッダーピン７０２を外側から内側に抜くための挿通孔２００ａが設けられている。そして、ヘッダーピン７０２は、図５に示すように、外側から挿通孔７０２及び挿通孔２００ａを抜けて配置される。このヘッダーピン７０２の先端（ヘッドと反対側）は、ハウジング２００の内部に位置しており、挿通孔２００ａよりも大径のナット（不図示）と螺合されている。このヘッダーピン７０２は、ナットがハウジング２００に係止されることによって、ハウジング２００に対して固定されている。
【００５４】
バネ部材７０３は、ヘッダーピン７０２のヘッドと板部材７０１との間に介在され、ヘッダーピン７０２を外側（板部材７０１から離間する側）に向けて付勢するものである。
このようにヘッダーピン７０２が外側に向けて付勢されることによって、ヘッダー７０２と固定されたハウジング２００がフレームＦ１側に引き込まれて付勢される。
【００５５】
ビス７０４は、板部材７０１をフレームＦ１に対して位置決めして固定するものであり、本実施形態においては２つ設けられている。
【００５６】
以上のようなレーザスキャニングユニット７３の固定機構６００によっても、付勢機構７００によってハウジング２００を一方向に付勢することによって、ハウジング２００の位置決め及び支持を行う。つまり、本実施形態におけるレーザスキャニングユニット７３の固定機構６００においては、ハウジング２００をフレームＦ１，Ｆ２に対して強固に固定しておらず、ハウジング２００にバネ部材７０３から受ける付勢力を上回る力が作用した場合には、ハウジング２００の変形あるいは変位が許容される。
したがって、本実施形態におけるレーザスキャニングユニット７３の固定機構６００によれば、ハウジング２００に局所的な熱変形が生じないので、走査線の位置ずれの発生がなくなり、印刷品質の低下を防止することができる。
【００５７】
加えて、本実施形態におけるレーザスキャニングユニット７３の固定機構６００によれば、バネ部材７０３によってハウジング２００が一方向に付勢されることで、ハウジング２００の位置決め及び支持が行われるため、組立て時にハウジング２００を大よその位置に配置すれば、その後はバネ部材７０３の付勢力によってハウジング２００を正確な位置に位置決めすることができる。また、ハウジング２００がフレームＦ１，Ｆ２に対して強固に固定されていないため、その脱着も容易である。
したがって、本実施形態におけるレーザスキャニングユニット７３の固定機構６００によれば、レーザスキャニングユニット７３の組立作業性を向上し、専門知識を有する作業員でなくとも、ユーザ自身でレーザスキャニングユニット７３の交換を行うことが可能となる。
【００５８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５９】
例えば、上記実施形態においては、本発明の光走査装置の一例であるレーザスキャニングユニット７３が画像形成装置の１つのである複写機に搭載された構成について説明した。
しかしながら、本発明の光走査装置は、これに限定されるものではなく、複写機等の画像形成装置以外に、計測器、検査装置等の機器に搭載しても良い。
【符号の説明】
【００６０】
Ｐ……複写機（画像形成装置）、７３……レーザスキャニングユニット（光走査装置）、Ｆ１，Ｆ２……フレーム、１００〜１０２、１００ａ，１０１ａ……突出ピン、１００ｂ，１０１ｂ……挿入穴、１０３〜１０５、１０３ａ，１０４ａ……貫通孔、１０６，１０６ａ……バネ部材（付勢手段）１０７……板部材、１０８，１０９……位置決めピン、１０８ａ，１０９ａ……突起部、２００……ハウジング、３００，４００，６００……固定機構、５００，７００……付勢機構（付勢手段）、７０１……板部材、７０１ａ，７０１ｂ……嵌合孔、７０２……ヘッダーピン、７０３……バネ部材（弾性部材）
【図１】
2011209557.tif 000003
【図２】
2011209557.tif 000004
【図３】
2011209557.tif 000005
【図４】
2011209557.tif 000006
【図６】
2011209557.tif 000007
【図５】
2011209557.tif 000008